(57)【要約】【課題】文字変換開始時に、メールアドレスを変換条件として利用するため、より用途に合った変換候補を判定し表示することができる文字変換装置、携帯端末装置、文字変換方法、文字変換プログラム及び記録媒体を提供する。【解決手段】文字変換辞書テーブルと、入力された文字を変換する文字変換手段と、を備える文字変換装置であって、メールの送付先アドレス情報を元に変換候補となる文字を抽出するアドレス別文字変換手段と、前記抽出された変換候補文字を表示する表示手段と、を備えることを特徴とする文字変換装置により上記課題を解決することが出来る。【選択図】図１
2009205272.tif 000002
【特許請求の範囲】
【請求項１】
文字変換辞書テーブルと、入力された文字を変換する文字変換手段と、を備える文字変換装置であって、
メールの送付先アドレス情報を元に変換候補となる文字を抽出するアドレス別文字変換手段と、
前記抽出された変換候補文字を表示する表示手段と、を備えることを特徴とする文字変換装置。
【請求項２】
メールの送付先アドレス情報と、読み見出しと、候補番号とを関連づけて記憶するメールアドレス毎候補テーブルと、
読み見出しと、候補番号と、変換候補文字と、を少なくとも含むユーザ使用候補辞書テーブルと、を備え、
前記アドレス別文字変換手段は、文字が入力された場合に、前記メールアドレス毎候補テーブルを参照して、指定された送付先メールアドレスと、入力された文字の読みに該当する読み見出しとの有無を確認し、該当する場合は、前記該当する読み見出しとその候補番号に基づき、前記ユーザ使用候補辞書テーブルを検索し、変換候補文字を抽出することを特徴とする請求項１記載の文字変換装置。
【請求項３】
前記ユーザ使用候補辞書テーブルは、使用情報を含み、
前記アドレス別文字変換手段は、前記使用情報に基づき前記表示手段への変換候補文字の表示順序を決定することを特徴とする請求項２記載の文字変換装置。
【請求項４】
前記文字変換手段は、前記アドレス別文字変換手段により、指定された送付先アドレス、若しくは入力された文字の読みに該当する読み見出しが無かった場合は、前記文字変換辞書テーブルから変換候補文字を抽出し、
さらに、前記メールアドレス毎候補テーブルに、前記送付先メールアドレスと、入力された文字の読みに該当する読み見出しとを新規登録し、前記ユーザ使用候補辞書テーブルの読み見出しと、候補番号と、前記文字変換辞書テーブルを参照して確定された変換文字とを新規登録する登録手段を備えることを特徴とする請求項２又は３記載の文字変換装置。
【請求項５】
請求項１から４のいずれか１項に記載の文字変換装置を備え、
メール文書作成の際に前記文字変換装置を用いて文字変換を行うことを特徴とする携帯端末装置。
【請求項６】
文字が入力された場合に、メールの送付先アドレス情報と、読み見出しと、候補番号とを関連づけて記憶するメールアドレス毎候補テーブルを参照して、指定された送付先メールアドレスと、入力された文字の読みに該当する読み見出しとの有無を確認するステップと、
前記確認された該当する読み見出しとその候補番号に基づき、読み見出しと、候補番号と、変換候補文字とを少なくとも含むユーザ使用候補辞書テーブルを検索し、変換候補文字を抽出するステップと、
前記抽出された変換候補文字を表示するステップと、を備えることを特徴とする文字変換方法。
【請求項７】
文字が入力された場合に、メールの送付先アドレス情報と、読み見出しと、候補番号とを関連づけて記憶するメールアドレス毎候補テーブルを参照して、指定された送付先メールアドレスと、入力された文字の読みに該当する読み見出しとの有無を確認する処理と、
前記確認された該当する読み見出しとその候補番号に基づき、読み見出しと、候補番号と、変換候補文字とを少なくとも含むユーザ使用候補辞書テーブルを検索し、変換候補文字を抽出する処理と、
前記抽出された変換候補文字を表示する処理と、を備えることを特徴とする文字変換プログラム。
【請求項８】
前記請求項７記載の文字変換プログラムの処理を記録するコンピュータ読取り可能な記録媒体。
【発明の詳細な説明】
【技術分野】
【０００１】
本発明は、文字変換装置、携帯端末装置、文字変換方法、文字変換プログラム及び記録媒体に関し、特により用途に合った文字変換を行う文字変換装置、携帯端末装置、文字変換方法、文字変換プログラム及び記録媒体に関する。
【背景技術】
【０００２】
携帯端末など、少ない入力キーに複数の文字をマップし文字を入力する装置では、日本語文字の変換において、入力の操作性向上のために一文字の読み、もしくは、先頭ｎ文字の読みで予め登録されている単語やユーザ辞書を用いて、文字変換を行うことが主流となっている。
【０００３】
また、学習機能も合わせて利用することで、ユーザが一度利用した単語は、ユーザの使用頻度や最近使用順等に応じて、出来る限り最初の候補になるような表示が行なわれている（特許文献１、２参照）。
【特許文献１】特開２００４−３１０３０２号公報
【特許文献２】特開２００７−２７２７３９号公報
【発明の開示】
【発明が解決しようとする課題】
【０００４】
しかしながら、上記のような技術には、以下の問題点がある。メールを作成する用途においては、個人用途や業務用途等の違いにより、同じ読み文字の入力であっても期待される変換内容が一般的に異なることが多い。しかし、上述したかな漢字変換では、メールの作成用途が切り替わった場合でも一様に変換候補が表示される。例えば、業務用途のメールを作成した後に、個人用途でメールを作成する場合には、直前に使用した業務用途の候補が先頭に表示されることになる。このため、目的の候補を表示させるには、複数回候補の選択キーを押下したり、変換候補を減らすために引き続き読み文字を入力したりするなど、ユーザ側の負担となり、操作性を損ねる原因となっていた。
【０００５】
また、メール送信先グループに対応した文字列変換の学習結果記憶手段を用いる文字列変換装置（特許文献１）では、例えば taro@xxx.yyy と takuya@xxx.yyy を友人グループに割り当てていると、taro@xxx.yyy 宛のメール作成であっても、一旦、双方のアドレスへのメールを作成すると、学習バッファに存在する「太郎元気？」、「卓也元気？」の２つの候補が常に両方出力されてしまう。更に、taro@xxx.yyy と takuya@xxx.yyy に交互にメールを作成した場合、一旦taro@xxx.yyy 宛のメール作成で「太郎元気？」と選択確定し、最初の出力候補になったとしても、次にtakuya@xxx.yyy 宛のメール作成で「卓也元気？」を確定してしまうと、次回のtaro@xxx.yyy 宛のメール作成では、「卓也元気？」が最初の候補として出力されることが予想される。
【０００６】
このように、異なる送信先アドレスに対してメールを作成する場合であっても、送付先アドレスが同じグループに属するとグループ内で使用された候補が出力されてしまうことになり、他送付先アドレスでの文字変換による影響を抑制することが出来ない。
【０００７】
本発明はこのような状況に鑑みてなされたものであり、文字変換時にメールアドレスを変換条件として利用するため、より用途に合った変換候補を抽出し表示することを目的とする。
【課題を解決するための手段】
【０００８】
本発明に係る第１の文字変換装置は、文字変換辞書テーブルと、入力された文字を変換する文字変換手段と、を備える文字変換装置であって、メールの送付先アドレス情報を元に変換候補となる文字を抽出するアドレス別文字変換手段と、前記抽出された変換候補文字を表示する表示手段と、を備えることを特徴とする。
【０００９】
本発明に係る第１の携帯端末装置は、本発明に係る第１の文字変換装置を備え、メール文書作成の際に前記文字変換装置を用いて文字変換を行うことを特徴とする。
【００１０】
本発明に係る第１の文字変換方法は、文字が入力された場合に、メールの送付先アドレス情報と、読み見出しと、候補番号とを関連づけて記憶するメールアドレス毎候補テーブルを参照して、指定された送付先メールアドレスと、入力された文字の読みに該当する読み見出しとの有無を確認するステップと、前記確認された該当する読み見出しとその候補番号に基づき、読み見出しと、候補番号と、変換候補文字とを少なくとも含むユーザ使用候補辞書テーブルを検索し、変換候補文字を抽出するステップと、前記抽出された変換候補文字を表示するステップと、を備えることを特徴とする。
【００１１】
本発明に係る第１の文字変換プログラムは、文字が入力された場合に、メールの送付先アドレス情報と、読み見出しと、候補番号とを関連づけて記憶するメールアドレス毎候補テーブルを参照して、指定された送付先メールアドレスと、入力された文字の読みに該当する読み見出しとの有無を確認する処理と、前記確認された該当する読み見出しとその候補番号に基づき、読み見出しと、候補番号と、変換候補文字とを少なくとも含むユーザ使用候補辞書テーブルを検索し、変換候補文字を抽出する処理と、前記抽出された変換候補文字を表示する処理と、を備えることを特徴とする。
【００１２】
本発明に係る第１の記録媒体は、本発明に係る第１の文字変換プログラムの処理を記録するコンピュータ読取り可能な記録媒体である。
【発明の効果】
【００１３】
本発明によれば、文字変換時にメールアドレスを変換条件として利用するため、より用途に合った変換候補を抽出し表示することができる。
【発明を実施するための最良の形態】
【００１４】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１５】
本発明は、メール作成用途で使用される文字変換装置において、メールの送付先アドレス情報を元に変換候補となる単語を選別し、メール送付先に応じた変換候補を表示することで、候補選択におけるキー操作を減らし、少ないキー操作で目的の文を作成することができる構成を提供するものである。メールを作成する用途においては、送付先に応じて作成する文書で使用する単語や言い回し、メールの返信時にそのメール内で扱われている共通に使用される単語などがあり、これらを送付先アドレスの情報を利用して、送付先アドレス毎に候補となる単語を識別することにより、候補選択で表示される候補を抑制し、候補選択におけるキー操作を減らすことを特徴とする。
【００１６】
本発明の実施形態に係る文字変換装置の構成について説明する。
【００１７】
図１は、本実施形態に係る文字変換装置のブロック構成図である。本実施形態に係る文字変換装置は、読み入力部１０１と、変換制御部１０２と、辞書操作部１０３と、かな漢字変換辞書１０４と、ユーザ使用候補辞書１０５と、メールアドレス認識部１０６と、メールアドレス毎候補テーブル１０７と、表示部１０８と、変換候補操作部１０９から構成されている。本実施形態では、文字変換の一例としてかな漢字変換辞書を用いる。
【００１８】
読み入力部１０１は、ユーザが変換結果を得るために読みを入力する。
【００１９】
変換制御部１０２は、読み入力の受け渡しや、変換開始、変換候補の受け渡し、変換結果登録指示など、各部の統合制御を行う。
【００２０】
辞書操作部１０３は、変換制御部１０２を介し、メールアドレス認識部１０６で、メール作成開始時に入力される送付先アドレスエリアから送付先アドレスの取り出しを行い、送付先アドレスの情報を取り出すことが出来た場合に、メールアドレス毎候補テーブル１０７を参照し、該当の送付先アドレスに対応したメールアドレスと読み見出しの有無を確認し、該当するものがあれば、ユーザ使用候補辞書１０５から該当の候補の取り出しを行う。
【００２１】
また、辞書操作部１０３は、メールアドレス認識部１０６から送付先アドレス情報を取り出すことが出来ない場合、または、メールアドレス毎候補テーブル１０７に該当するメールアドレス、読み見出し、目的の変換候補が存在しない場合、通常のかな漢字変換の候補の作成には、かな漢字変換辞書１０４を使用し、読みの先頭ｎ文字に対応した既ユーザ使用候補の作成には、ユーザ使用候補辞書１０５を用いてそれぞれ変換候補を作成する。
【００２２】
ここで、かな漢字変換辞書１０４は、かな漢字変換用に予め単語を登録している通常の辞書である。ユーザ使用候補辞書１０５は、ユーザが変換／確定した変換候補を文節単位もしくは、連語／連接単位で格納する辞書である。
【００２３】
表示部１０８は、メールアドレス毎候補テーブル１０７から作成した変換候補、もしくは、かな漢字変換辞書１０４とユーザ使用候補辞書１０５から作成した変換候補、変換結果を表示する。
【００２４】
変換候補操作部１０９は、変換制御部１０２から送られる変換候補に関し、変換候補の次候補の表示要求、変換候補の修正（再変換指示）、候補の確定などを行う。
【００２５】
次に、図１のブロック構成図と、図２及び図３のフローチャートを参照して本実施形態の動作処理について詳細に説明する。また、本実施形態に従い、変換が実施された場合の変換例として、図４の変換文字列、図５のユーザ使用候補辞書の例、図６のメールアドレス毎候補テーブルの例、図７変換結果の例を使用し説明する。
【００２６】
読み入力部１０１より読み文字が入力され、変換キーが押下されると、変換制御部１０２は、初回のみ、メールアドレス認識部１０６を介し、送付先アドレスエリアから送付先アドレス情報を取り出す。
【００２７】
送付先メールアドレスの指定がある場合は、辞書操作部１０３は、メールアドレス毎候補テーブル１０７を参照し、指定された送付先メールアドレス、入力された読みに該当する読み見出しの有無を確認し、該当するものがある場合は、メールアドレス毎候補テーブル１０７の読み見出しと候補番号を元に、ユーザ使用候補辞書１０５を検索し、入力された読みに一致するまたは、読みを含むものを変換候補として取り出し、使用情報を元に出力順序を決定後、変換制御部１０２を経由し、表示部１０８に変換候補として表示する。
【００２８】
ここで、本実施形態では、出力順を決定する使用情報に変換確定された日時を利用しているが、使用頻度や使用頻度と日時の組み合わせなどであってもよい。
【００２９】
変換候補操作部１０９で、表示部１０８に表示した候補を選択確定すると、変換制御部１０２は確定した候補情報を辞書操作部１０３に渡し、ユーザ使用候補辞書１０５の使用情報の更新を行う（図２のステップＳ２０１〜Ｓ２０８）。
【００３０】
上述の処理の中で、送付先アドレスの指定がない場合(図２のステップＳ２０１)、メールアドレス毎候補テーブル１０７に、該当するメールアドレスや読み見出しがない場合(図２のステップＳ２０１、Ｓ２０２)、メールアドレス毎候補テーブル１０７を使用して変換候補を作成した結果に目的の候補がない場合は（図２のステップＳ２０６）、ユーザ使用候補辞書１０５から入力された読みと一致する、又は読みを含む読み文字の候補を検索しリストアップを行う。
【００３１】
更に入力された読みと一致する読み文字の候補を、かな漢字変換辞書１０４から検索し、変換候補としてリストに追加後、変換制御部１０２を経由し、表示部１０８に変換候補として表示する。
【００３２】
なお、出力順に関しては、メールアドレス毎候補テーブル１０７を使用した際と同じく、使用情報に従い決定される。
【００３３】
変換候補操作部１０９で、表示部１０８に表示した候補内に目的の候補が存在しない場合は、再度、読み入力や文節区切りの修正を行うよう、変換制御部１０２に指示を行い、再変換処理を行う。
【００３４】
目的の候補が存在する場合は、変換の確定を行い、変換制御部１０２を介して、辞書操作部１０３に変換確定文字列を渡し、ユーザ使用候補辞書１０５内に登録されている候補であれば、使用情報のみ更新する。存在しない候補の場合は、読み見出し、新規候補番号、変換候補／読み文字、使用頻度を含め、変換の単位でユーザ使用候補辞書１０５に登録を行う（図２のステップＳ２０９〜Ｓ２１５）。
【００３５】
その後、メールアドレス認識部１０６で送付先アドレスの情報が取得できている場合は、メールアドレス毎候補テーブル１０７に、メールアドレスが存在する、読み見出しが存在する、候補番号が存在するといった各条件に従い、該当の情報を登録する（図２のステップＳ２０９〜Ｓ２１５、及び図３のステップＳ３０１〜Ｓ３０６）。
【００３６】
上述した動作処理に従い、ユーザ使用候補辞書１０５とメールアドレス毎候補テーブル１０７が初期状態（登録情報無し）で、図４に示す送付先宛てに例文で示すメール本文が作成される（例文の区切り単位で、入力・変換・確定が行なわれたものとする）と、図５に示す内容で、ユーザ使用候補辞書１０５が登録される。
【００３７】
また、それに伴い、図６に示す内容でメールアドレス毎候補テーブル１０７への登録が行なわれる。この状態で、再度、yuujin-1@xxx.yyy 宛てに「確認します」という文を入力するために読み「か」を入力して変換すると、図７に示すように変換候補として３つの候補のみが表示される。
【００３８】
また、新規の送付先 yuujin-3@xxx.yyy 宛てに、「蚊」を入力するために読み「か」を入力し変換すると、メールアドレス毎候補テーブル１０７には、登録情報がないため、全ての候補が選択可能となり、複数の候補が表示されるが、再度、yuujin-3@xxx.yyy 宛てのメール作成で、「蚊」を入力したい場合に、読み「か」を入力すると、「蚊」のみが表示され、少ないキー操作で候補選択が可能となる。
【００３９】
上記実施形態により、携帯端末を使用しメール文書作成する際の文字入力操作を向上することが出来る。その理由は、本発明によりメールの送付先の情報を用いることで、送付先(用途)別に使用する単語を絞ることができ、一覧に表示する候補や、次の読み入力の要求を減らし、候補選択キーの押下や次読み入力の操作を抑制することが出来るためである。
【００４０】
具体的には、上述したような送信先グループ内で変換・確定された単語を共有する変換装置に比べると、例えば taro@xxx.yyy 宛のメール作成では「太郎元気？」のみが候補となり、その後のtakuya@xxx.yyy 宛のメール作成における変換確定結果によっても、taro@xxx.yyy 宛てメール作成における変換候補の内容を阻害することはない。
【００４１】
本発明に係る他の実施形態について説明する。図１に示す文字変換装置のユーザ使用候補辞書１０５とメールアドレス毎候補テーブル１０７を一つにすることで、図２のステップＳ２０９を外し、図７で示した新規の送付先yuujin-3@xxx.yyy 宛ての初回の変換でも、他送付先アドレスで使用した候補を表示させないことが可能となる。
【００４２】
従って、メールアドレス毎候補テーブル１０７に該当の登録がない場合は、初回の変換は、かな漢字変換辞書１０４のみから変換候補を作成することになる。本実施形態に係る文字変換装置のブロック構成を図８に示す。また、図１のユーザ使用候補辞書１０５とメールアドレス毎候補テーブル１０７を一つにし、図４の変換文字列の変換を行った場合に作成されるメールアドレス毎ユーザ使用候補辞書１１０の一例を図９に示す。
【００４３】
上述した文字変換装置は、携帯電話機等、メール送信機能を備える装置に実装されることが考え得る。
【００４４】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４５】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００４６】
【図１】本発明の実施形態に係る文字変換装置のブロック構成図である。
【図２】本発明の実施形態に係る文字変換装置の動作処理を示すフローチャートである。
【図３】本発明の実施形態に係る文字変換装置の動作処理を示すフローチャートである。
【図４】本発明の実施形態に係る文字変換装置の変換文字列を示す図である。
【図５】本発明の実施形態に係る文字変換装置のユーザ使用候補辞書の一例を示す図である。
【図６】本発明の実施形態に係る文字変換装置のメールアドレス毎候補テーブルの一例を示す図である。
【図７】本発明の実施形態に係る文字変換装置の変換結果の一例を示す図である。
【図８】本発明の実施形態に係る文字変換装置のブロック構成図である。
【図９】本発明の実施形態に係る文字変換装置のメールアドレス毎ユーザ使用候補辞書の一例を示す図である。
【符号の説明】
【００４７】
１０１    読み入力部
１０２    変換制御部
１０３    辞書操作部
１０４    かな漢字変換辞書
１０５    ユーザ使用候補辞書
１０６    メールアドレス認識部
１０７    メールアドレス毎候補テーブル
１０８    表示部
１０９    変換候補操作部
１１０    メールアドレス毎ユーザ使用候補辞書
【図１】
2009205272.tif 000003
【図２】
2009205272.tif 000004
【図３】
2009205272.tif 000005
【図４】
2009205272.tif 000006
【図５】
2009205272.tif 000007
【図６】
2009205272.tif 000008
【図７】
2009205272.tif 000009
【図８】
2009205272.tif 000010
【図９】
2009205272.tif 000011